(57)【要約】【課題】消費者の失念による書籍の重複購入や購入機会の見送りを防ぎ、書店における書籍の販売機会増をはかる。【解決手段】書籍管理装置３０と複数の利用者端末２０とがネットワーク６０経由で接続される書籍管理システム１０であって、書籍管理装置３０は、利用者端末２０が、利用者が自ら所有する書籍、及び／又は購入予定書籍の書誌事項を登録すると、登録された書誌事項に基づきデータベース上に利用者別仮想書庫を作成し、続いて利用者端末２０により読み取られる書籍の識別情報とデータベース上の利用者別仮想書庫とを照合して利用者別仮想書庫を更新する。【選択図】図１
2018010432.tif 000002
【特許請求の範囲】
【請求項１】
書籍管理装置と複数の利用者端末とがネットワークを経由して接続される書籍管理システムであって、
利用者が自ら所有する書籍、及び／又は購入予定書籍の書誌事項を登録する、前記利用者端末における書籍情報登録手段と、
前記登録された書誌事項に基づきデータベース上に利用者別仮想書庫を作成する、前記書籍管理装置における利用者別仮想書庫作成手段と、
前記利用者端末により読み取られる書籍の識別情報と前記データベース上の利用者別仮想書庫とを照合して前記利用者別仮想書庫を更新する、前記書籍管理装置における書籍管理手段と、を備えたことを特徴とする書籍管理システム。
【請求項２】
定期、又は不定期に、前記利用者端末との間で書籍情報の同期処理を行う前記書籍管理装置における同期化手段、
を備えたことを特徴とする請求項１に記載の書籍管理システム。
【請求項３】
前記書籍管理装置は、
クラウドコンピューティングによるクラウドサービスで実現することを特徴とする請求項１又は２に記載の書籍管理システム。
【請求項４】
前記識別情報は、書籍ＪＡＮコードであることを特徴とする請求項１に記載の書籍管理システム。
【請求項５】
特定のビーコンを発信する発信機が設置された書店に近づいたときに特定のアプリが起動され、前記ネットワークにさらに接続される書店端末から、前記購入予定書籍の一覧を含む書籍案内情報を受信する、前記利用者端末における情報受信手段、
を備えたことを特徴とする請求項１に記載の書籍管理システム。
【請求項６】
複数の利用者端末とネットワークを経由して接続される書籍管理装置であって、
前記利用者端末により、利用者が自ら所有する書籍、及び／又は購入予定書籍の書誌事項が登録されると、前記登録された書誌事項に基づきデータベース上に利用者別仮想書庫を作成する利用者別仮想書庫作成手段と、
前記利用者端末により読み取られる書籍の識別情報と前記データベース上の利用者別仮想書庫とを照合して前記利用者別仮想書庫を更新する書籍管理手段と、を備えたことを特徴とする書籍管理装置。
【請求項７】
書籍管理装置と複数の利用者端末とがネットワークを経由して接続される書籍管理システムに用いられる書籍管理方法であって、
前記利用者端末が、利用者が自ら所有する書籍、及び／又は購入予定書籍の書誌事項を登録するステップと、
前記書籍管理装置が、前記登録された書誌事項に基づきデータベース上に利用者別仮想書庫を作成するステップと、
前記書籍管理装置が、前記利用者端末により読み取られる書籍の識別情報と前記データベース上の利用者別仮想書庫とを照合して前記利用者別仮想書庫を更新するステップと、を有することを特徴とする書籍管理方法。
【請求項８】
複数の利用者端末とネットワークを経由して接続される書籍管理装置のプログラムであって、
コンピュータに、
前記利用者端末により、利用者が自ら所有する書籍、及び／又は購入予定書籍の書誌事項が登録されると、前記登録された書誌事項に基づきデータベース上に利用者別仮想書庫を作成する処理と、
前記利用者端末により読み取られる書籍の識別情報と前記データベース上の利用者別仮想書庫とを照合して前記利用者別仮想書庫を更新する処理と、を実行させるプログラム。
【発明の詳細な説明】
【技術分野】
【０００１】
本発明は、書籍管理システム、書籍管理装置、書籍管理方法、及びプログラムに関する。
【背景技術】
【０００２】
書籍の情報管理に関し、従来から多数提案がなされている。例えば、特許文献１に、書籍の購入申請に対して社内での無駄な書籍の重複購入を減らして真に購入する必要がある書籍のみを必要な数だけ所蔵し、また、既存の所蔵書籍の有効活用を図ることができる社内図書管理システムが記載されている。また、例えば、特許文献２に、リアル書籍の情報と電子書籍の情報とを統合してデータベースを生成し、当該データベースに基づく仮想本棚をタッチパネルに表示して書籍の貸出し管理を行う電子書籍装置が記載されている。
【先行技術文献】
【特許文献】
【０００３】
【特許文献１】特開２０１０−１５２７９５号公報
【特許文献２】特開２０１３−１５２５３３号公報
【発明の概要】
【発明が解決しようとする課題】
【０００４】
ところで、消費者は、失念等により、自身が保有する書籍を重複購入し、あるいはシリーズものの、ある巻数の購入を見送ることが多々ある。このため、消費者は無駄に書籍を購入することになり、あるいは、購入機会の損失により、書店では販売機会を逸することになる。しかしながら、特許文献１，２に記載された技術では、これらの機会を抑制し、あるいは回避することはできない。
【０００５】
本発明は上記した課題を解決するためになされたものであり、消費者の失念による書籍の重複購入や購入機会の見送りを防ぎ、書店における書籍の販売機会増をはかる、書籍管理システム、書籍管理装置、書籍管理方法、及びプログラムを提供することを目的とする。
【課題を解決するための手段】
【０００６】
上記した課題を解決するために本発明は、書籍管理装置と複数の利用者端末とがネットワークを経由して接続される書籍管理システムであって、利用者が自ら所有する書籍、及び／又は購入予定書籍の書誌事項を登録する、前記利用者端末における書籍情報登録手段と、前記登録された書誌事項に基づきデータベース上に利用者別仮想書庫を作成する、前記書籍管理装置における利用者別仮想書庫作成手段と、前記利用者端末により読み取られる書籍の識別情報と前記データベース上の利用者別仮想書庫とを照合して前記利用者別仮想書庫を更新する、前記書籍管理装置における書籍管理手段と、を備えたことを特徴とする。
【０００７】
本発明において、定期、又は不定期に、前記利用者端末との間で書籍情報の同期処理を行う前記書籍管理装置における同期化手段、を備えたことを特徴とする。
【０００８】
本発明において、前記書籍管理装置は、クラウドコンピューティングによるクラウドサービスで実現することを特徴とする。
【０００９】
本発明において、前記識別情報は、書籍ＪＡＮコードであることを特徴とする。
【００１０】
本発明において、特定のビーコンを発信する発信機が設置された書店に近づいたときに特定のアプリが起動され、前記ネットワークに更に接続される書店端末から、前記購入予定書籍の一覧を含む書籍案内情報を受信する、前記利用者端末における情報受信手段、
を備えたことを特徴とする。
【００１１】
本発明は、複数の利用者端末とネットワークを経由して接続される書籍管理装置であって、前記利用者端末により、利用者が自ら所有する書籍、及び／又は購入予定書籍の書誌事項が登録されると、前記登録された書誌事項に基づきデータベース上に利用者別仮想書庫を作成する利用者別仮想書庫作成手段と、前記利用者端末により読み取られる書籍の識別情報と前記データベース上の利用者別仮想書庫とを照合して前記利用者別仮想書庫を更新する書籍管理手段と、を備えたことを特徴とする。
【００１２】
本発明は、書籍管理装置と複数の利用者端末とがネットワークを経由して接続される書籍管理システムに用いられる書籍管理方法であって、前記利用者端末が、利用者が自ら所有する書籍、及び／又は購入予定書籍の書誌事項を登録するステップと、前記書籍管理装置が、前記登録された書誌事項に基づきデータベース上に利用者別仮想書庫を作成するステップと、前記書籍管理装置が、前記利用者端末により読み取られる書籍の識別情報と前記データベース上の利用者別仮想書庫とを照合して前記利用者別仮想書庫を更新するステップと、を有することを特徴とする。
【００１３】
本発明は、複数の利用者端末とネットワークを経由して接続される書籍管理装置のプログラムであって、コンピュータに、前記利用者端末により、利用者が自ら所有する書籍、及び／又は購入予定書籍の書誌事項が登録されると、前記登録された書誌事項に基づきデータベース上に利用者別仮想書庫を作成する処理と、前記利用者端末により読み取られる書籍の識別情報と前記データベース上の利用者別仮想書庫とを照合して前記利用者別仮想書庫を更新する処理と、を実行させることを特徴とする。
【発明の効果】
【００１４】
本発明によれば、消費者の失念による書籍の重複購入や購入機会の見送りを防ぎ、書店における書籍の販売機会増をはかる、書籍管理システム、書籍管理装置、書籍管理方法、及びプログラムを提供することができる。
【図面の簡単な説明】
【００１５】
【図１】本発明の実施の形態に係る書籍管理システムの構成を示す図である。
【図２】図１の利用者端末の構成を示すブロック図である。
【図３】図１の書籍管理装置の構成を示すブロック図である。
【図４】図１の発信機の構成を示すブロック図である。
【図５】本発明の実施の形態に係る書籍管理装置の基本処理動作を示すフローチャートである。
【図６】利用者端末の処理動作を示すフローチャートである。
【図７】利用者端末に表示される画面の遷移図（１）である。
【図８】利用者端末に表示される画面の遷移図（２）である。
【図９】利用者端末に表示される画面の遷移図（３）である。
【発明を実施するための形態】
【００１６】
（実施形態の構成）
以下、本発明の実施の形態（以下、本実施形態という）に係る書籍管理システムについて図面を参照しながら詳細に説明する。なお、実施形態の説明の全体を通して同じ要素には同じ番号又は符号を付している。
【００１７】
図１に示すように、本実施形態に係る書籍管理システム１０は、少なくとも、消費者が利用する複数の利用者端末２０と、書籍管理装置３０とが、ＩＰ（Internet  Protocol）網等のネットワーク６０を経由して接続されている。
【００１８】
ネットワーク６０には、更に、日本書籍出版協会が管理運営する書籍データベースサーバ４０、及び書店に設置される書店端末５０が接続されてもよい。利用者端末２０は、出版された書籍に関し、書籍データベースサーバ４０から、書籍名、巻数、著者名等の情報取得が可能であり、書店端末５０からは書籍案内情報の取得が可能である。
【００１９】
利用者端末２０は、利用者が自ら所有する書籍、及び／又は購入予定書籍の書誌事項を、例えば、書籍データベースサーバ４０から取得して書籍管理装置３０に登録する、ｉＰｈｏｎｅ（登録商標）を含むスマートホン、ＰＣ（Personal  Computer）等、通常の携帯情報機器である。利用者端末２０は、書籍に付随する書籍ＪＡＮ（Japanese  Article  Number）コードを読み取り、後述する書籍管理装置３０により作成されるデータベースを検索することにより、追加登録、照合、削除等の更新も行う。
【００２０】
ここで、識別情報として使用される書籍ＪＡＮコードは、出版物用に使用されるＪＡＮコードであり、通常のＪＡＮコード系とは異なり、１９９０年３月に、一般財団法人流通システム開発センターと書籍業界とが合意して制定されたものである。書籍ＪＡＮコードは２段のバーコードで構成され、１段目が「９７８」から始まる国際標準コードのＩＳＢＮ（International  Standard  Book  Numbering）用バーコード、２段目が、日本独自の図書分類と税抜本体価格で構成される。１段目、２段目の情報は、書籍の裏表紙、及びスリップに表示されており、「日本図書コード」と呼ばれている。書籍ＪＡＮコードは、日本図書コードの情報をバーコードで表示したもので、利用者端末２０が有するバーコードリーダ等によりその情報を収集することができる。
【００２１】
書店では、店内に特定のビーコンを発信する１以上の発信機５０ａが設置されており、利用者端末２０を所持する利用者がその書店に近づいたときに特定のアプリ（アプリケーションプログラム）が起動される。このとき、利用者端末２０は、ネットワーク６０にさらに接続される書店端末５０から、書籍案内情報を受信することができる。
【００２２】
これは、インターネット等から書店への誘導等に使用される、ｉＢｅａｃｏｎ（登録商標）の仕組みを利用することにより実現される。ｉＢｅａｃｏｎ（登録商標）とは、Ｂｌｕｅｔｏｏｔｈ（登録商標）の拡張仕様であるＢＬＥ（Bluetooth（登録商標）  Low  Energy）を用い、発信機５０ａと、発信機５０ａからの電波の受信に対応したｉＰｈｏｎｅ（登録商標）アプリの２つの組み合わせによって成立する仕組みである。
【００２３】
具体的に、発信機５０ａから、「アドバタイズメントパケット」と呼ばれる固有の識別子が発信されると、その識別子に紐付けられたｉＰｈｏｎｅ（登録商標）のアプリが反応して書店等に設置される書店端末５０への誘導を実現する通知を送信する。このため、発信機５０ａと同じ識別子をｉＰｈｏｎｅ（登録商標）のアプリにも登録しておき、そのアプリに発信機５０ａと同じ識別子が含まれていると判別された場合にのみそのアプリが自動的に起動され、ｉＰｈｏｎｅ（登録商標）に誘導のための通知が表示される。なお、この仕組みは利用者端末２０でも実現可能であるため、以降では、ｉＰｈｏｎｅ（登録商標）を含む携帯情報機器全般を利用者端末２０と総称して説明を継続する。
【００２４】
なお、案内情報の送信は、ビーコンに限らず、ＧＰＳ（Global  Positioning  System）７０等による位置情報サービスを利用することにより、近くにある商業施設の情報を得ることができるチェックインサービスで代替してもよい。このチェックインサービスで得られる情報の中には、単なる店舗情報の他にクーポン等の割引や特典アイテムも含まれる。この位置情報サービスは、書店サイドが、ＧＰＳ７０やＷｉ−Ｆｉ（登録商標）等のネットワーク環境を使用することにより、利用者端末２０を所持するユーザの居場所を特定することにより行われる。
【００２５】
書籍管理装置３０は、利用者端末２０が、書籍の書誌事項を登録すると、登録された書誌事項に基づきデータベース（後述する図３の記憶部３２）上に利用者別仮想書庫（図３の３２１）を作成する。そして、利用者端末２０により読み取られる書籍の識別情報（書籍ＪＡＮコード）と、データベース上の利用者別仮想書庫とを照合して利用者別仮想書庫を更新する機能を有する。また、書籍管理装置３０は、利用者端末２０との間で定期又は不定期に、書籍情報の同期処理を行ってもよい。
【００２６】
なお、本実施形態に係る書籍管理システム１０において、書籍管理装置３０は、クラウドコンピューティングシステムによるクラウドサービスにより実現されるＷｅｂ（World  Wide  Web）サーバ群で実現されるものとする。ただし、本実施形態に係る書籍管理システム１０を構築するうえで書籍管理装置３０のクラウド化は必須ではなく、自前で管理運営する書籍管理サーバ等で実現してもよい。
【００２７】
図２に、利用者端末２０、図３に、書籍管理装置３０、図４に、発信機５０ａのそれぞれの構成の一例がブロック図で示されている。
【００２８】
図２に示すように、利用者端末２０は、処理部２１と、記憶部２２と、通信部２３と、操作部２４と、表示部２５と、近距離無線通信部２６と、バーコード読取部２７（バーコードリーダ）とを含み構成される。
【００２９】
処理部２１は、例えば、マイクロプロセッサで構成され、記憶部２２のプログラム領域に格納されたプログラムを逐次読み出し実行することにより、利用者が自ら所有する書籍、及び／又は購入予定書籍の書誌事項を登録する機能を実行する。又、特定のビーコンを発信する発信機５０ａが設置された書店に近づいたときに特定のアプリが起動され、書店端末５０から書籍案内情報を受信する機能も実行する。
【００３０】
このため、処理部２１は、書籍情報登録手段２１１と、情報受信手段２１２とをプログラム実行手段として含む。書籍情報登録手段２１１は、利用者の入力操作に基づき、利用者が自ら所有する書籍、及び／又は購入予定書籍の書誌事項を書籍管理装置３０に登録し、情報受信手段２１２は、特定のビーコンを発信する発信機５０ａが設置された書店に近づいたときに特定のアプリを起動し、当該アプリの制御の下、書店端末５０から書籍案内情報を受信する。
【００３１】
記憶部２２には、処理部２１が実行するプログラムが格納されるプログラム領域の他に、プログラム実行過程で生成されるデータが格納される作業領域が割当てられており、作業領域には、利用者により登録されたＭｙ書籍情報２２０が記憶される。なお、記憶素子として、例えば、半導体記憶、磁気、あるいは光記憶素子のいずれかが実装される。
【００３２】
通信部２３は、無線通信システムを捕捉し、ネットワーク６０に接続される不図示の基地局との間で無線通信を行い、各種データの送受信を行う。ここで、各種データとは、音声通話時の音声データ、メール送受信時のメールデータ、Ｗｅｂ（World  Wide  Web）閲覧時のＷｅｂページデータ等である。通信部２３は、例えば、ＴＣＰ／ＩＰ（Transmission  Control  Protocol／Internet  Protocol）に準拠したプロトコルにしたがい、ネットワーク６０を経由して書籍管理装置３０、書籍データベースサーバ４０、書店端末５０との間で通信を行う。
【００３３】
操作部２４は、例えば、電源キー、通話キー、数字キー、文字キー、方向キー（左右上下）、決定キー、発信キー等、各種の機能が割り当てられたキースイッチを有しており、これらのキーがユーザによって操作された場合に、その操作内容に対応する信号を生成し、これを利用者の指示として処理部２１に出力する。ここでは、特に、書籍情報の登録操作、メニュー選択操作等のために使用される。
【００３４】
表示部２５は、多数の画素（複数色の発光素子の組み合わせ）を縦横に配して構成される、例えばＬＣＤ（Liquid  Crystal  Display  Device）や有機ＥＬ（Electro-Luminescence）の表示デバイスが搭載されており、処理部２１により生成され、記憶部２２の図示省略されたＶＲＡＭ（Video  RAM）領域に書き込まれた情報を表示する。なお、操作部２４と表示部２５の表示デバイスとはこれらが一体形成されたタッチパネルで代替してもよい。
【００３５】
近距離無線通信部２６は、発信機５０ａから発信される電波を受信し、重畳された識別子を抽出して処理部２１へ出力する。近距離無線通信部２６は、ＢＬＥ規格に準拠して通信を行うものとし、本来は、２．４ＧＨｚ帯を７９の周波数チャネルに分け、利用する周波数をランダムに変える周波数ホッピングを行いながら、半径１０〜１００ｍ範囲に位置する発信機５０ａと、最大２４ｂｐｓで双方向無線通信が可能であるが、ここでは、同規格で発信機５０ａからの電波受信の単方向無線通信のみに使用することにする。
【００３６】
バーコード読取部２７は、書籍に付随する書籍ＪＡＮコードを読み取り処理部２１へ出力する。これを受けて処理部２１は、読み取られる書籍ＪＡＮコードとデータベース上の利用者別仮想書庫とを照合して当該利用者別仮想書庫のデータを更新する。
【００３７】
図３に示すように、書籍管理装置３０は、少なくとも、処理部３１と、記憶部３２と、通信部３３と、を含み構成される。
【００３８】
処理部３１は、記憶部３２のプログラム領域に格納された本実施形態に係るプログラム３２０にしたがい、利用者端末２０により、利用者が自ら所有する書籍、及び／又は購入予定書籍の書誌事項が登録されると、登録された書誌事項に基づきデータベース（記憶部３２）上に利用者別仮想書庫３２１を作成する処理と、利用者端末２０により読み取られる書籍の識別情報（書籍ＪＡＮコード）とデータベース上の利用者別仮想書庫３２１とを照合して利用者別仮想書庫３２１を更新する処理と、を実行するコンピュータとして動作する。処理部３１はまた、利用者端末２０との間で定期又は不定期に書籍情報の同期処理を行う処理も実行する。
【００３９】
このため、処理部３１は、利用者別仮想書庫作成手段３１１と、書籍管理手段３１２と、同期化手段３１３とを、プログラム実行手段として含む。
【００４０】
利用者別仮想書庫作成手段３１１は、利用者端末２０により書籍の書誌事項が登録されると、登録された書誌事項に基づき、記憶部３２の所定の領域にデータベースを構築し、利用者別仮想書庫３２１を作成する。利用者別仮想書庫３２１は、利用者ＩＤごとに、「購入日」、「購入先」、「書籍ＪＡＮコード」「カテゴリ」、「書籍名」、「巻数」、「著者名」、「フラグ」等をデータ項目として有する。なお。「フラグ」には、購入済みか否（購入予定）か、同期処理済みか否か等の情報が設定される。
【００４１】
書籍管理手段３１２は、利用者端末２０により読み取られる書籍ＪＡＮコードと利用者別仮想書庫３２１とを照合し、追加登録、削除等により、利用者別仮想書庫３２１のデータを更新する。同期化手段３１３は、利用者端末２０との間で定期又は不定期に、書籍情報の同期処理を行い、利用者端末２０の記憶部２２に記憶されているＭｙ書籍情報２２０と、利用者別仮想書庫３２１のデータとの間で、定期又は不定期に、例えば、排他的論理和演算を行うことにより両者の不整合を回避する。
【００４２】
記憶部３２には、処理部３１が実行する本実施形態に係るプログラム３２０が格納されるプログラム領域の他に、プログラム実行過程で生成されるデータが格納される作業領域が割当てられている。この作業領域には、データベースとして利用者別仮想書庫３２１が記憶される。記憶部３２は、記憶素子として、例えば、半導体記憶、磁気、あるいは光記憶素子のいずれかが実装されている。
【００４３】
通信部３３は、例えば、ＴＣＰ／ＩＰに準拠したプロトコルにしたがい、ネットワーク６０を経由して接続される、利用者端末２０、書籍データベースサーバ４０、あるいは書店端末５０との間で通信を行う。
【００４４】
図４に示すように、発信機５０ａは、制御部５１と、ＲＦ（Radio  Frequency）部５２と、により構成される。ＲＦ部５２は、不図示の信号源、変調回路、電力増幅器を含む電波生成のための高周波エネルギーを発生する高周波回路である。本実施形態では、近距離無線通信部２６に、２．４ＧＨｚ帯の周波数を用い、半径１０〜１００ｍ範囲内に位置するＢｌｕｅｔｏｏｔｈ（登録商標）を搭載する利用者端末２０に対し、制御部５１による制御の下で生成される電波を送信する。ここでは、ボタン電池１個のみで数年駆動を可能とするバージョン４．０のＢｌｕｅｔｏｏｔｈ（登録商標）拡張規格であるＢＬＥに準拠した仕様とする。
【００４５】
制御部５１は、書店を特定する個体情報と、利用者端末２０が実行するアプリを特定する識別子とをブロードキャスト送信するが、このとき、それら識別情報を特定の暗号化パターンで暗号化し、この暗号化パターンの種類を示す情報を付加して送信する。このため、制御部５１は、これら識別情報をＲＦ部５２により生成される電波に重畳させて送信する制御も行う。
【００４６】
（実施形態の動作）
以下、本実施形態に係る書籍管理システム１０の動作につき、図５，図６のフローチャート、及び図７〜図９に示す利用者端末２０の画面構成を参照しながら詳細に説明する。
【００４７】
まず、図５、及び図７，図８を参照して本実施形態に係る書籍管理システム１０の基本処理動作から説明する。以下の説明では、利用者端末２０の処理部２１（書籍情報登録手段２１１）が、利用者が自ら所有する書籍、及び／又は購入予定書籍の書誌事項を登録するための操作を実行し、記憶部２２にＭｙ書籍情報２２０として登録済みであるものとする。又、利用者端末２０が書籍管理装置３０と通信を行うことにより、書籍管理装置３０の処理部３１（利用者別仮想書庫作成手段３１１）が、登録された書誌事項に基づき、記憶部３２の作業領域に割り当てられ記憶される利用者別仮想書庫３２１に、利用者ＩＤごとの、「購入日」、「購入先」、「書籍ＪＡＮコード」「カテゴリ」、「書籍名」、「巻数」、「著者名」、「フラグ」等の各データ領域からなる書籍情報を作成済みであるものとして説明する。
【００４８】
図５によれば、まず、利用者が利用者端末２０に電源を投入して起動すると、例えば、図７（ａ）に示すメインメニューが表示される（ステップＳ１０１）。ここでは、「本棚の一覧」、「購入予定の一覧」、「追加・照合・削除」、「設定」がメインメニューとして用意される。なお、メインメニューの他に、書籍管理装置３０から送信される「お知らせ」や「バナー広告」等についても画面領域が確保され、表示されている。
【００４９】
利用者端末２０の操作部２４によりメインメニュー中の「本棚の一覧」が選択されると（ステップＳ１０２“ＹＥＳ”）、処理部２１は、表示部２５に、例えば、図７（ｂ）に示す検索情報入力画面を表示し、利用者による検索情報の入力を促す。書籍管理装置３０は、処理部３１（書籍管理手段３１２）が、利用者により入力される検索情報のうち、書籍のカテゴリと名称に関する情報を取り込んで（ステップＳ１０３“ＹＥＳ”）、記憶部３２の作業領域に割り当てられている利用者別仮想書庫３２１の書籍情報を検索する。そして、例えば、図７（ｃ）に示す検索結果画面情報を生成し、要求があった利用者端末２０に送信する。
【００５０】
利用者端末２０は、受信した検索結果画面情報にしたがい、表示部２５に、カテゴリ別の書籍を本棚の一覧として画面表示する（ステップＳ１０４）。なお、対象がシリーズものの書籍であれば、矢印Ａを付して示したように、未購入巻数の本と既購入巻数の本とが区別して表示されている。ここでは、未購入巻数の本がハッチング表記されている。
【００５１】
本棚の一覧を表示する場合、書籍管理装置３０が利用者別仮想書庫３２１を検索するままでもなく、利用者端末２０が、記憶部２２の作業領域に記憶してあるＭｙ書籍情報２２０を検索して表示部２５に画面表示してもよい。
【００５２】
また、利用者がメインメニュー中の「購入予定の一覧」を選択すると（ステップＳ１０５“ＹＥＳ”）、書籍管理装置３０は、処理部３１（書籍管理手段３１２）が、記憶部３２の利用者別仮想書庫３２１の書籍情報の内、該当する利用者ＩＤのフラグ領域を参照し、購入予定になっているフラグがＯＮしている書籍を検索し、その検索結果を要求があった利用者端末２０に送信する。そしてこれを受けた利用者端末２０が、表示部２５に購入予定一覧として纏めて画面表示する（ステップＳ１０６）。
【００５３】
一方、利用者が、例えば、図８（ａ）に示すメインメニュー中の「追加・照合・削除」を選択すると（ステップＳ１０７“ＹＥＳ”）、書籍管理装置３０は、処理部３１（書籍管理手段３１２）が、さらに、バーコード読取部２７により読み込まれる書籍ＪＡＮコードを取り込み（ステップＳ１０８“ＹＥＳ”）、その書籍ＪＡＮコードと、記憶部３２の作業領域に記憶された利用者別仮想書庫３２１の書籍情報とを照合し、既登録の有無を判定する（ステップＳ１０９）。照合の結果、ヒット（既登録）すれば（ステップＳ１０９“ＹＥＳ”）、処理部３１が、利用者端末２０の表示部２５に、既購入メッセージを表示し（ステップＳ１１０）、利用者に同じ書籍の重複購入を回避するように注意喚起する。「図８（ｂ）に、書籍ＪＡＮコード読み取りを指示する「バーコードスキャンボタン」が、図８（ｃ）に、既購入メッセージの一例である「既に××に登録済み」が示されている。
【００５４】
なお、利用者別仮想書庫３２１に、取り込んだ書籍ＪＡＮコードに該当する書籍がミスヒットした場合（ステップＳ１０９“ＮＯ”）、処理部３１は、書籍管理手段３１２が、利用者が操作部２４を操作することにより指示入力される購入予定の追加指示に関する情報入力を待つ（ステップＳ１１１）。ここで、利用者から購入予定として追加指示があれば（ステップＳ１１１“ＹＥＳ”）、該当の書籍に関する、「書籍ＪＡＮコード」「カテゴリ」、「書籍名」、「巻数」、「著者名」、「フラグ」等のデータ項目を該当の利用者ＩＤのエントリに追加登録する（ステップＳ１１２）。なお、このとき、フラグデータ領域中の購入予定フラグをＯＮ設定しておく。
【００５５】
続いて処理部３１は、同期化手段３１３が、利用者別仮想書庫３２１が更新されたタイミングで、利用者端末２０からＭｙ書籍情報２２０を読み込み、利用者別仮想書庫３２１の書籍情報と一致するようにＭｙ書籍情報２２０の書籍情報を更新するために必要な情報を利用者端末２０に送信して同期処理を実行する（ステップＳ１１５）。なお、同期処理は、利用者別仮想書庫３２１が更新された不定期のタイミングでなく、定期的に実行してもよい。
【００５６】
ステップＳ１１１において、購入予定に追加指示がない場合（ステップＳ１１１“ＮＯ”）、処理部３１は、さらに購入予定の削除要求の有無を判定する（ステップＳ１１３）。ここで、利用者が操作部２４を操作することによって購入予定の削除要求を発行した場合（ステップＳ１１３“ＹＥＳ”）、処理部３１は、利用者別仮想書庫３２１に記憶された該当の書籍情報を削除する（ステップＳ１１４）。そして、そのタイミングで、同期化手段３１３が、利用者端末２０からＭｙ書籍情報２２０を読み込み、利用者別仮想書庫３２１の書籍情報と一致するようにＭｙ書籍情報２２０の書籍情報を更新するのに必要な情報を送信する（ステップＳ１１５）。
【００５７】
なお、ステップＳ１０７で、「追加・照合・削除」のメニュー選択がなされなかった場合（ステップＳ１０７“ＮＯ”）、処理部３１は、例えば、後述する、特定のビーコン受信による自動ポップアップの可否、新刊案内対象カテゴリの設定等、その他メニュー処理を実行する。又、処理部３１は、メニュー処理に限らず、利用者の要求に基づきバナー広告等の表示処理を実行してもよい。
【００５８】
次に、図６及び図９を参照して利用者端末２０の処理動作について説明する。利用者端末２０を所持した利用者が書店に出向き、書店に設置された発信機５０ａから送信される特定のビーコンの電波許容受信範囲に近づくと、利用者端末２０の近距離無線通信部２６が、そのビーコンを受信する（ステップＳ２０１“ＹＥＳ”）。このとき、そのビーコンに含まれる識別子が、利用者端末２０にインストールされているアプリと同じ識別子を持つ場合（ステップＳ２０２“ＹＥＳ”）、そのアプリが起動される（ステップＳ２０３）。
【００５９】
なお、近距離無線通信部２６がそのビーコンを受信できなかった場合（ステップＳ２０１“ＮＯ”）、あるいはアプリが持つ識別子と異なっていれば（ステップＳ２０２“ＮＯ”）、処理部２１は、何もしない（ＮＯＰ処理）。
【００６０】
処理部２１はアプリを実行することにより、書店端末５０から送信される書籍案内情報の受信を行うことができる（ステップＳ２０４）。書籍案内情報の受信は、情報受信手段２１２により実行される。すなわち、利用者端末２０が書店に近づいて特定のビーコンを受信することによりアプリが起動し、このとき、表示部２５に表示される情報が、図９（ａ）に示すメインメニュー画面から図９（ｂ）に示す書籍案内情報画面に自動でポップアップする（矢印Ｂ）。
【００６１】
このとき、書籍案内情報として、特定のビーコンが示す識別子に該当する書店の、書店・店舗名が、例えば、「○○書店△△店がお近くです」として表示される。又、書籍案内情報画面の中には購入予定の書籍を確認するためのボタンＣが含まれている。そこで、利用者が操作部２４を操作してこのボタンＤを押下することにより購入予定書籍の確認要求を発行すると（ステップＳ２０５“ＹＥＳ”）、表示部２５は、購入予定の一覧表示画面に遷移する（ステップＳ２０６）。その結果、利用者は表示部２５に表示される購入予定の書籍を出向いた書店で購入することができる。なお、ボタンＤが押下されなかった場合は（ステップＳ２０５“ＮＯ”）、新刊案内や書店からのお勧め情報を含む書店案内情報が表示され（ステップＳ２０７）、このとき、ネットショップのサイトへの誘導も可能である。
【００６２】
（実施形態の効果）
以上説明のように本実施形態に係る書籍管理システム１０によれば、利用者端末２０により、利用者が自ら所有する書籍、及び／又は購入予定書籍の書誌事項が登録されると、登録された書誌事項に基づきデータベース（書籍管理装置３０の記憶部３２）上に利用者別仮想書庫３２１を作成し、かつ、利用者端末２０により読み取られる書籍の識別情報（書籍ＪＡＮコード）と書籍管理装置３０の利用者別仮想書庫３２１とを照合し、利用者別仮想書庫３２１を更新する仕組みを構築することにより、利用者自身が所持する書籍を利用者端末２０で管理することができる。又、書店で書籍に付随する書籍ＪＡＮコードを読み取ることにより利用者別仮想書庫３２１への登録、更新が可能になり、その結果、消費者の失念による書籍の重複購入や購入機会の見送りを防ぎ、書店における書籍の販売機会増をはかることが可能になる。又、書店からのビーコン発信によるプッシュ型セールスに対応することかでき、その結果、利用者は、購入予定の書籍を出向いた書店で購入することができるため、書店における書籍の販売促進効果も期待できる。
【００６３】
また、本実施形態に係る書籍管理システム１０において、書籍管理装置３０をクラウドコンピューティングによるクラウドサービスで実現することにより、システムの開発や運用コストを削減することができる。又、ネットショップサイトへの誘導も可能であるため、書籍の販売促進が可能である。
【００６４】
なお、本実施形態に係る書籍管理方法は、例えば、図１に示すように、書籍管理装置３０と複数の利用者端末２０とがネットワーク６０を経由して接続される書籍管理システム１０に用いられる。そしてその方法は、利用者端末２０が、利用者が自ら所有する書籍、及び／又は購入予定書籍の書誌事項を登録すると、書籍管理装置３０が、登録された書誌事項に基づきデータベース上に利用者別仮想書庫３２１を作成し、続いて利用者端末２０により読み取られる書籍の識別情報とデータベース上の利用者別仮想書庫３２１とを照合して利用者別仮想書庫３２１を更新する、各ステップを有する。
【００６５】
本実施形態に係る書籍管理方法によれば、消費者の失念による書籍の重複購入や購入機会の見送りを防ぎ、書店における書籍の販売機会増をはかる書籍管理方法を提供することができる。
【００６６】
また、本実施形態に係るプログラムは、例えば、図１に示すように、複数の利用者端末２０とネットワーク６０を経由して接続される書籍管理装置３０のプログラム３２０であって、例えば、図３に示す処理部３１（コンピュータ）によって実行される。そして、そのプログラム３２０は、処理部３１に、上記した本実施形態に係る書籍管理方法における書籍管理装置３０が有する各ステップと同様の処理を実行させるものであり、ここでは、重複を回避する意味で各処理の説明を省略する。
【００６７】
本実施形態に係るプログラム３２０によれば、処理部３１が、そのプログラム３２０を読み出し実行することにより、消費者の失念による書籍の重複購入や購入機会の見送りを防ぎ、書店における書籍の販売機会増をはかる書籍管理装置３０を提供することができる。なお、本実施形態に係るプログラム３２０は、記憶部３２のプログラム領域に記憶されている。
【００６８】
以上、実施形態を用いて本発明を説明したが、本発明の技術的範囲は上記実施形態に記載の範囲には限定されないことはいうまでもない。上記実施形態に、多様な変更又は改良を加えることが可能であることが当業者に明らかである。またそのような変更又は改良を加えた形態も本発明の技術的範囲に含まれ得ることが、特許請求の範囲の記載から明らかである。
【符号の説明】
【００６９】
１０…書籍管理システム、２０…利用者端末（２１…処理部、２２…記憶部、２３…通信部、２４…操作部、２５…表示部、２６…近距離無線通信部、２７…バーコード読取部）、３０…書籍管理装置（３１…処理部、３２…記憶部、３３…通信部）、４０…書籍データベースサーバ、５０…書店端末、５０ａ…発信機（５１…制御部、５２…ＲＦ部）、６０…ネットワーク、７０…ＧＰＳ、２１１…書籍情報登録手段、２１２…情報受信手段、２２０…Ｍｙ書籍情報、３１１…利用者別仮想書庫作成手段、３１２…書籍管理手段、３１３…同期化手段、３２０…プログラム、３２１…利用者別仮想書庫
【図１】
2018010432.tif 000003
【図２】
2018010432.tif 000004
【図３】
2018010432.tif 000005
【図４】
2018010432.tif 000006
【図５】
2018010432.tif 000007
【図６】
2018010432.tif 000008
【図７】
2018010432.tif 000009
【図８】
2018010432.tif 000010
【図９】
2018010432.tif 000011